(57)【特許請求の範囲】
【請求項１】
ユニットハウスの本体壁面に開口した開口部から本体外側に突設するユニット状のカプセルを形成すると共に、本体開口部から外側に向けて延長固定されたレールを設置し、本体内部からレール上の先端方向にスライド移動したカプセルを開口部の外側で支持するユニットハウス用カプセル支持構造において、カプセルの下面に設けられた車輪を支持する複数本のレール体を設け、該レール体を連結杆にて平行に連結して前記レールを構成し、前記開口部に位置する床梁の長手方向に沿って着脱自在に固定する固定帯体を設け、前記レール体の基端部に、固定帯体に着脱自在に固定する固定部と、床梁の外側面に当接してレール体を支持する当接支持面とを設け、固定帯体を介して本体の床梁にレールを装着するように構成したことを特徴とするユニットハウス用カプセル支持構造。
【請求項２】
前記レール体は、前記当接支持面の上端部から先端方向に水平に延長されるスライド載置面と、該スライド載置面と前記当接支持面とを連結する支持側面とを備えた略角筒状を成し、前記固定部をスライド載置面の基端部に設けた請求項１記載のユニットハウス用カプセル支持構造。
【請求項３】
前記固定帯体は、前記床梁の上面に載置してネジ止め固定する帯状の固定板と、該固定板から前記レール体方向に突設された突片状の支持板とを備え、該支持板に前記レール体の前記固定部を重ねてネジ止めするように構成した請求項１記載のユニットハウス用カプセル支持構造。
【請求項４】
前記固定帯体の前記固定板は、前記本体の前記開口部の両側に立設する枠体の下端部に予め溶着され、該枠体の設置と共に固定帯体が前記開口部下端部に設置されるように構成した請求項３記載のユニットハウス用カプセル支持構造。
【請求項５】
前記レールにおいて、前記複数本の前記レール体相互の間隔は、前記カプセルの下面に設置されている車輪の間隔に合わせて設置された請求項１記載のユニットハウス用カプセル支持構造。
【発明の詳細な説明】
【技術分野】
【０００１】
本発明は、工場で生産し、現地で組み立てるユニットハウスのカプセル支持構造に係り、１階や２階の階層を問わずに同じ支持構造でカプセルを支持することができるユニットハウス用カプセル支持構造に関する。
【背景技術】
【０００２】
従来、この種のユニットハウスとして、当出願人が先に提案したユニット建築用カプセルが特許文献１に記載されている。このカプセルは、ユニットハウスの本体壁面から張り出すように設置する構造で、壁面に設けた開口部から外側に張り出すレールを装着し、本体内のカプセルをこのレール上に沿ってスライド移動して設置する。
【０００３】
このレールはジャッキやブレースにてカプセルごと支持する構造を採用していた。すなわち、１階の壁面から突設するレールは、地面に設置したジャッキにて支持し、２階以上の壁面から突設するレールは、壁面に設けたブレースにて支持するもので、これらのレールを介して壁面から突出するカプセルを支持するものである。
【先行技術文献】
【特許文献】
【０００４】
【特許文献１】実開平３-１５９０８号号公報
【発明の概要】
【発明が解決しようとする課題】
【０００５】
特許文献１のカプセル支持構造では、レールやカプセルを支持するために、階層ごとにジャッキとブレースを使い分ける必要があるので、ユニットハウスの組み立て工程に多くの作業を要していた。
【０００６】
また、２階以上のカプセルを支持するブレースは、下から見ると極めて目立つ位置に設置されるので、このブレースが外観上の体裁を悪くしていた。そのため、カプセルＱを使用した従来のユニットハウスの用途は、例えば工事現場の仮設事務所のように比較的使用期間の短い用途に限定されていた。
【０００７】
一方、最近のユニットハウスでは、店舗やオフィス、ショールーム等の人目を引く建築物としての用途や、長期に使用する用途にも注目されている。ところが、従来のジャッキやブレースを使用する従来のカプセル支持構造では、仮設用としては好適でも、人目を引く用途や長期に使用する用途には適していなかった。
【０００８】
そこで本発明は、上述の課題を解消すべく創出されたもので、１階や２階の階層を問わずに同じ支持構造で各種用途のカプセルを支持することができ、しかも、店舗やオフィス、ショールーム等の人目を引く用途や長期に使用する用途にも使用することが可能なユニットハウス用カプセル支持構造の提供を目的とするものである。
【課題を解決するための手段】
【０００９】
上述の目的を達成すべく本発明における第１の手段は、ユニットハウスの本体Ｐ壁面Ｐ１に開口した開口部Ｐ２から本体Ｐ外側に突設するユニット状のカプセルＱを形成すると共に、本体Ｐ開口部Ｐ１から外側に向けて延長固定されたレール１０を構成し、本体Ｐ内部からレール１０上の先端方向にスライド移動したカプセルＱを開口部Ｐ２の外側で支持するユニットハウス用カプセル支持構造において、カプセルＱの下面に設けられた車輪Ｑ１を支持する複数本のレール体１１を設け、該レール体１１を連結杆１６にて平行に連結して前記レール１０を構成し、前記開口部Ｐ２に位置する床梁Ｐ３の長手方向に沿って着脱自在に固定する固定帯体２０を設け、前記レール体１１の基端部に、固定帯体２０に着脱自在に固定する固定部１２と、床梁Ｐ３の外側面に当接してレール体１１を支持する当接支持面１３とを設け、固定帯体２０を介して本体Ｐの床梁Ｐ３にレール１０を装着するように構成したことにある。
【００１０】
第２の手段において、前記レール体１１は、前記当接支持面１３の上端部から先端方向に水平に延長されるスライド載置面１４と、該スライド載置面１４と前記当接支持面１３とを連結する支持側面１５とを備えた略角筒状を成し、前記固定部１２をスライド載置面１４の基端部に設けたものである。
【００１１】
第３の手段の前記固定帯体２０は、前記床梁Ｐ３の上面に重ねてネジ止め固定する帯状の固定板２１と、該固定板から前記レール体１１方向に突設された突片状の支持板２２とを備え、該支持板２２に前記レール体１１の前記固定部１２を重ねてネジ止めするようにした構成にある。
【００１２】
第４の手段において、前記固定帯体２０の前記固定板２１は、前記本体Ｐの前記開口部Ｐ２の両側に立設する枠体Ｐ４の下端部に予め溶着され、該枠体Ｐ４の設置と共に固定帯体２０が前記開口部Ｐ２下端部に設置されるように構成したものである。
【００１３】
第５の手段の前記レール１０において、前記複数本の前記レール体１１相互の間隔は、前記カプセルＱや支持枠Ｒの下面に設置されている車輪Ｑ１の間隔に合わせて設置されたものである。
【発明の効果】
【００１４】
請求項１のように、カプセルＱの下面に設けられた車輪をスライド方向に支持する複数本のレール体１１を設け、該レール体１１を連結杆１６にて平行に連結して前記レール１０を構成し、前記開口部Ｐ２に位置する床梁Ｐ３の長手方向に沿って着脱自在に固定する固定帯体２０を設け、レール体１１の基端部に、固定帯体２０に着脱自在に固定する固定部１２と、床梁Ｐ３の外側面に当接してレール体１１を支持する当接支持面１３とを設け、固定帯体２０を介して本体Ｐの床梁Ｐ３にレール１０を装着するように構成したことにより、１階や２階の階層を問わずに同じ支持構造で各種用途のカプセルを支持することができるようになった。したがって、ユニットハウスの組み立て工程を簡略化することができる。
【００１５】
請求項２のごとく、レール体１１は、当接支持面１３の上端部から先端方向に水平に延長されるスライド載置面１４と、該スライド載置面１４と当接支持面１３とを連結する支持側面１５とを備えた角筒状を成し、固定部１２をスライド載置面１４の基端部に設けたものであるから、ジャッキやブレースを使用せずに、カプセルＱを確実に支持することができる。
【００１６】
しかも、２階以上のカプセルを支持するレール体１１は、下から見てもブレースに比べて体裁が良くなっているので、店舗やオフィス、ショールーム等の人目を引く用途や長期に使用する常設の用途に使用することが可能になった。
【００１７】
請求項３のように、固定帯体２０は、前記床梁Ｐ３の上面に重ねてネジ止め固定する帯状の固定板２１と、該固定板から前記レール体１１方向に突設された突片状の支持板２２とを備え、該支持板２２に前記レール体１１の前記固定部１２を重ねてネジ止めするように構成しているので、固定帯体２０の装着作業が極めて容易になる。この結果、カプセルＱを装着するユニットハウスの組み立て作業を効率化することができる。
【００１８】
請求項４のように、固定帯体２０の固定板２１は、本体Ｐの開口部Ｐ２の両側に立設する枠体Ｐ４の下端部に予め溶着され、該枠体Ｐ４の設置と共に固定帯体２０が開口部Ｐ２下端部に設置されるように構成したことで、固定帯体２０は、本体Ｐの構造と一体化して優れた強度が得られる。
【００１９】
請求項５のごとく、前記レール１０において、前記複数本の前記レール体１１相互の間隔は、前記カプセルＱの下面に設置されている車輪Ｑ１の間隔に合わせて設置されているので、例えばキッチンやトイレ等の用途に使用する比較的幅が広いカプセルＱを同一のレール１０で支持することが可能になる。この結果、合理的な施工が可能になり、ユニットハウスの組み立て作業を迅速化することができる。
【図面の簡単な説明】
【００２０】
【図１】本発明の装着状態を示す分解斜視図である。
【図２】本発明の装着状態を示す分解側面図である。
【図３】本発明の装着状態を示す平面図である。
【図４】本発明で支持したカプセルの一実施例を示す側断面図である。
【図５】本発明が支持するカプセルの一実施例を示す背面図である。
【図６】本発明で支持した支持枠の一実施例を示す斜視図である。
【発明を実施するための形態】
【００２１】
以下、本発明の実施の形態を説明する。本発明は、ユニットハウス用のカプセルＱを本体Ｐの外側で支持するカプセル支持構造である。すなわち、ユニットハウスの構造において、台所やトイレ等の設備を予め組み込んでユニット化したカプセルＱを本体Ｐに組み合わせることがある。
【００２２】
この場合、ユニットハウスの本体Ｐ壁面Ｐ１に開口した開口部Ｐ２から本体Ｐ外側にカプセルＱが張出すように設置する(図４参照)。このカプセルＱは、予め、キッチン等の各種の設備が組み込まれているのでカプセルＱ全体の重量が重くなっている。そのため、カプセルＱの下面に車輪Ｑ１が装着されており、本体Ｐ内部での移動を容易にしている(図５参照)。
【００２３】
本発明は、このような各種カプセルＱを開口部Ｐ２の外側で支持するために構成されたもので、レール１０と固定帯体２０とを備えている。カプセルＱを支持するには、この固定帯体２０を介して本体Ｐの床梁Ｐ３にレール１０を装着するように構成している。
【００２４】
レール１０の設置は、カプセルＱを装着する開口部Ｐ２から外側に向けて延長固定されるもので、カプセルＱの車輪Ｑ１を支持する複数本のレール体１１を連結杆１６にて平行に連結している。図示のレール体１１は、固定部１２、当接支持面１３、スライド載置面１４を設けた角筒状を成している。
【００２５】
すなわち、固定部１２は、後述する固定帯体２０に着脱自在に固定する部位である。図示例では、各レール体１１の基端部に位置するスライド載置面１４の下面に連結ボルト３０を固着した構成を成している(図２参照)。
【００２６】
当接支持面１３は、各レール体１１の基端部に設けられ、床梁Ｐ３の外側面に当接して各レール体１１を支持する部位である。図示の当接支持面１３には当接板１３Ａを設けてあり、床梁Ｐ３の外側面に傷が付かないように構成している(図２参照)。また、当接支持面１３の高さは、床梁Ｐ３の高さと同程度に形成している(図４参照)。
【００２７】
スライド載置面１４は、当接支持面１３の上端部から先端方向に水平に延長される部位である。カプセルＱは、このスライド載置面１４に沿って移動する車輪Ｑ１によって所定の位置まで移動する。そして、所定の位置でカプセルＱの周囲を本体Ｐに固定する(図４参照)。このとき、複数本のレール体１１相互のスライド載置面１４の間隔は、カプセルＱや支持枠Ｒごとに設置されている車輪の間隔に合わせて設置されている。すなわち、キッチンやトイレ等の用途に使用する比較的幅が広いカプセルＱを設置する場合は、最も広い幅の位置にあるスライド載置面１４に車輪Ｑ１を載せる。
【００２８】
また、動力エアコン等を載置する比較的幅が狭い支持枠Ｒを設置する場合は、間隔が狭い位置にあるスライド載置面１４に車輪Ｑ１を載せて使用する(図６参照)。このように、予めレール体１１の本数や間隔を、レール１０で支持する予定のカプセルＱや支持枠Ｒの車輪Ｑ１の幅に合わせて設定することで、各種カプセルＱや支持枠Ｒを同一のレール１０で支持することができる。
【００２９】
支持側面１５は、スライド載置面１４の両側から前記当接支持面１３に至る側面略直角三角形状を成した部位である。この支持側面１５により、レール体１１の構造が強化されている。図示例では、レール体１１の下面に位置する支持側面１５相互に底面１７を設けている(図２参照)。この底面１７によって、更にレール体１１の強度を高めると共に、下から見られたときの体裁を良好にしている。
【００３０】
固定帯体２０は、本体Ｐの開口部Ｐ２に位置する床梁Ｐ３の長手方向に沿って固定する帯状の部材である。この固定帯体２０は、帯状の固定板２１の一側面から複数個の支持板２２を突設している。
【００３１】
固定板２１の長手両端部は、枠体Ｐ４の下端部に予め溶着されている(図１参照)。そのため、本体Ｐの開口部Ｐ２下端部に枠体Ｐ４を設置すると、同時に固定板２１も開口部Ｐ２下端部に設置される。したがって、開口部Ｐ２に設置された固定帯体２０は本体Ｐの枠体Ｐ４と一体化した構造になる。
【００３２】
支持板２２は、この固定板２１からレール体１１方向に突設された板状の部材である(図１参照)。そして、この支持板２２にレール体１１の固定部１２を重ね、固定部１２に予め固着されている連結ボルト３０を支持板２２の挿通孔２２Ａに挿通してネジ止めする(図２参照)。
【００３３】
本体Ｐにレール１０を装着する手順としては、前述のように、カプセルＱを装着する開口部Ｐ２の床梁Ｐ３上に予め固定板２１を固定してあるので、作業者は、レール１０の各レール体１１を各支持板２２に合わせて連結ボルト３０にてネジ止めする作業で簡単にレール１０を装着することができる。
【００３４】
尚、本発明カプセル支持構造の構成は図示例に限定されるものではなく、レール１０や固定帯体２０の形状は任意に変更することができる。また、本発明の要旨を変更しない範囲での設計変更は自由に行える。
【符号の説明】
【００３５】
Ｐ  本体
Ｐ１  壁面
Ｐ２  開口部
Ｐ３  床梁
Ｐ４  枠体
Ｑ  カプセル
Ｑ１  車輪
１０  レール
１１  レール体
１２  固定部
１２Ａ  挿通孔
１３  当接支持面
１３Ａ  当接板
１４  スライド載置面
１５  支持側面
１６  連結杆
１７  底面
２０  固定帯体
２１  固定板
２２  支持板
２２Ａ  挿通孔
３０  連結ボルト
【図１】
0006277220.tif 000002
【図２】
0006277220.tif 000003
【図３】
0006277220.tif 000004
【図４】
0006277220.tif 000005
【図５】
0006277220.tif 000006
【図６】
0006277220.tif 000007